(57)【要約】【課題】開閉スイッチを介して電気的に接続された鉛蓄電池と高性能蓄電池とを遮断する場合に、鉛蓄電池の端子電圧の上昇量を抑制可能なバッテリシステム制御装置を提供する。【解決手段】オルタネータ１０と、電気負荷４２，４３と、オルタネータ１０による発電電力を充電可能な鉛蓄電池２０と、オルタネータ１０による発電電力及び鉛蓄電池２０の放電電力を充電可能なリチウム蓄電池３０と、オルタネータ１０及び鉛蓄電池２０とリチウム蓄電池３０との通電及び遮断を切り替えるＭＯＳスイッチ５０と、を備え、リチウム畜電池３０の端子電圧が鉛蓄電池２０の端子電圧よりも低く制御されているバッテリシステムに適用され、リチウム蓄電池３０に流入する充電電流が判定値よりも小さいことを条件として、ＭＯＳスイッチ５０の通電から遮断への切り替えを許可し、鉛蓄電池２０の内部抵抗が大きいほど判定値を小さく設定する。【選択図】      図１
2014018018.tif 000002
【特許請求の範囲】
【請求項１】
エンジンの出力軸により駆動されて発電する発電機（１０）と、前記発電機と並列に接続された電気負荷（４２，４３）と、前記発電機と並列に接続され前記発電機による発電電力を充電可能な鉛蓄電池（２０）と、前記発電機と並列に接続され前記発電機による発電電力及び前記鉛蓄電池の放電電力を充電可能な高出力密度かつ高エネルギ密度の高性能蓄電池（３０）と、前記発電機及び前記鉛蓄電池と前記高性能蓄電池との通電及び遮断を切り替える開閉スイッチ（５０）と、を備え、前記高性能蓄電池の端子電圧が前記鉛蓄電池の端子電圧よりも低く制御されているバッテリシステムに適用され、
前記高性能蓄電池に流入する充電電流が判定値よりも小さいことを条件として、前記開閉スイッチの通電から遮断への切り替えを許可し、前記鉛蓄電池の内部抵抗が大きいほど前記判定値を小さく設定することを特徴とするバッテリシステム制御装置（８０）。
【請求項２】
前記開閉スイッチを通電から遮断へ切り替える要求が発生した場合に、前記充電電流が前記判定値よりも小さくなるように、前記発電機による発電電力を減少させる請求項１に記載のバッテリシステム制御装置。
【請求項３】
前記エンジンの駆動中における前記高性能蓄電池の目標充電量を、前記高性能蓄電池が過放電及び過充電にならない適正範囲内で、且つ前記鉛蓄電池の内部抵抗が大きいほど多く設定する請求項１又は２に記載のバッテリシステム制御装置。
【請求項４】
前記鉛蓄電池の端子電圧と前記高性能蓄電池の端子電圧との電圧差が大きいほど前記充電電流が大きいとみなす請求項１〜３のいずれかに記載のバッテリシステム制御装置。
【請求項５】
前記鉛蓄電池の端子電圧が高いほど前記充電電流が大きいとみなす請求項１〜３のいずれかに記載のバッテリシステム制御装置。
【請求項６】
前記高性能蓄電池の端子電圧が低いほど前記充電電流が大きいとみなす請求項１〜３のいずれかに記載のバッテリシステム制御装置。
【請求項７】
前記バッテリシステムは、前記鉛蓄電池に並列接続されて前記鉛蓄電池から電力供給を受けて駆動するスタータモータ（４１）を備え、
前記鉛蓄電池の内部抵抗は、前記スタータモータの駆動時における前記鉛蓄電池の電圧降下量に基づいて算出する請求項１〜６のいずれかに記載のバッテリシステム制御装置。
【発明の詳細な説明】
【技術分野】
【０００１】
本発明は、発電機、電気負荷、鉛蓄電池及び高性能蓄電池を備えたバッテリシステムの制御装置に関する。
【背景技術】
【０００２】
特許文献１のように、安価であるが充放電に対する耐久性が低い鉛蓄電池と、高価であるが高出力且つ高エネルギ密度で充放電に対する耐久性が高い高性能蓄電池とを備え、エンジンを走行駆動源とする車両に搭載されるバッテリシステムが提案されている。
【０００３】
上記バッテリシステムでは、発電機、電気負荷及び鉛蓄電池と高性能蓄電池とが、低コストの開閉スイッチを介して電気的に接続されている。そして、開閉スイッチの操作により、発電機、電気負荷及び鉛蓄電池と高性能蓄電池とが通電又は遮断に切り替えられ、二つの蓄電池が適切に使いわけられている。
【先行技術文献】
【特許文献】
【０００４】
【特許文献１】特開２０１２−８０７０６号公報
【発明の概要】
【発明が解決しようとする課題】
【０００５】
しかしながら、開閉スイッチを用いて発電機、電気負荷及び鉛蓄電池と高性能蓄電池とを電気的に接続すると、発電機又は鉛蓄電池から高性能蓄電池へ大電流が流れやすい。高性能蓄電池に大電流が流れている状態で、発電機、電気負荷及び鉛蓄電池と高性能蓄電池とを遮断すると、高性能蓄電池へ流れていた大電流が鉛蓄電池に吸収され、鉛蓄電池の端子電圧が急上昇する。特に、鉛蓄電池の内部抵抗が大きい場合は、鉛蓄電池の端子電圧の上昇量が大きくなり、鉛蓄電池の端子電圧が電気負荷の耐電圧を超えるおそれがある。
【０００６】
本発明は、上記実情に鑑み、開閉スイッチを介して電気的に接続された鉛蓄電池と高性能蓄電池とを備えたバッテリシステムにおいて、鉛蓄電池と高性能蓄電池とを遮断する場合に、鉛蓄電池の端子電圧の上昇量を抑制可能なバッテリシステム制御装置を提供することを目的とする。
【課題を解決するための手段】
【０００７】
上記課題を解決するために、請求項１に記載の発明は、バッテリシステム制御装置であって、エンジンの出力軸により駆動されて発電する発電機と、前記発電機と並列に接続された電気負荷と、前記発電機と並列に接続され前記発電機による発電電力を充電可能な鉛蓄電池と、前記発電機と並列に接続され前記発電機による発電電力及び前記鉛蓄電池の放電電力を充電可能な高出力密度かつ高エネルギ密度の高性能蓄電池と、前記発電機及び前記鉛蓄電池と前記高性能蓄電池との通電及び遮断を切り替える開閉スイッチと、を備え、前記高性能蓄電池の端子電圧が前記鉛蓄電池の端子電圧よりも低く制御されているバッテリシステムに適用され、前記高性能蓄電池に流入する充電電流が判定値よりも小さいことを条件として、前記開閉スイッチの通電から遮断への切り替えを許可し、前記鉛蓄電池の内部抵抗が大きいほど前記判定値を小さく設定する。
【０００８】
請求項１に記載の発明は、発電機、電気負荷及び鉛蓄電池と高性能蓄電池とが開閉スイッチを介して接続されるとともに、互いに並列接続されたバッテリシステムに適用される。このようなバッテリシステムでは、高性能畜電池の端子電圧が鉛蓄電池の端子電圧よりも低く制御されているため、発電機及び鉛蓄電池と高性能蓄電池との通電時に、発電機又は鉛蓄電池から高性能蓄電池へ充電電流が流れる。そして、高性能蓄電池へ充電電流が流れている状態で開閉スイッチを通電から遮断へ切り替えると、高性能蓄電池へ流れていた充電電流は鉛蓄電池に吸収される。それゆえ、鉛蓄電池へ流れる電流が増加し、鉛蓄電池の端子電圧が急上昇する。鉛蓄電池の端子電圧の上昇量は、鉛蓄電池の内部抵抗及び鉛蓄電池へ流れる電流の増加量が大きいほど大きくなる。鉛蓄電池の端子電圧の上昇量が大きくなると、鉛蓄電池の端子電圧が電気負荷の耐電圧を超えてしまい、電気負荷が損傷するおそれがある。
【０００９】
しかしながら請求項１に記載の発明は、高性能蓄電池に流入する充電電流が判定値よりも小さいことを条件として、開閉スイッチの通電から遮断への切り替えが許可される。そして、この判定値は、鉛蓄電池の内部抵抗が大きいほど小さく設定される。よって、開閉スイッチが通電から遮断へ切り替えられた場合には、内部抵抗が大きいほど鉛蓄電池に吸収される電流は小さくなる。したがって、発電機、電気負荷及び鉛蓄電池と高性能蓄電池とを遮断する場合に、鉛蓄電池の端子電圧の上昇量を抑制することができる。
【図面の簡単な説明】
【００１０】
【図１】本実施形態に係るバッテリシステムの構成を示す概略図。
【図２】リチウム蓄電池のＳＯＣの使用領域を示す図。
【図３】充電時の鉛蓄電池の端子電圧と内部抵抗の関係を示す図。
【図４】ＭＯＳスイッチの通電から遮断への切り替えを許可する処理手順を示したフローチャート。
【発明を実施するための形態】
【００１１】
以下、バッテリシステム制御装置を具現化した各実施形態について、図面を参照しつつ説明する。本実施形態にかかるバッテリシステムが搭載される車両は、エンジンを走行駆動源とし、所定の自動停止及び自動再始動条件を満たした場合に、エンジンを自動停止及び自動再始動させるアイドルストップ機能を有する。
【００１２】
図１に本実施形態に係るバッテリシステムを示す。本実施形態に係るバッテリシステムは、オルタネータ１０（発電機）と、鉛蓄電池２０と、リチウム蓄電池３０（高性能蓄電池）と、スタータモータ４１と、電気負荷４２，４３と、回路を開閉して電流を通電又は遮断させる各種スイッチを備えている。各種スイッチは、ＭＯＳスイッチ５０（開閉スイッチ），ＳＭＲスイッチ６０，リレースイッチ７０である。
【００１３】
オルタネータ１０と、鉛蓄電池２０と、スタータモータ４１と、電気負荷４２とは、互いに電気的に並列接続されている。また、ＳＭＲスイッチ６０とリチウム蓄電池３０とが電気的に接続された直列体と、電気負荷４３とは、互いに電気的に並列接続されている。そして、オルタネータ１０，鉛蓄電池２０，スタータモータ４１及び電気負荷４２と、ＳＭＲスイッチ６０及び電気負荷４３との間には、ＭＯＳスイッチ５０が接続されている。
【００１４】
オルタネータ１０は、クランク軸の回転エネルギにより駆動されて発電する。オルタネータ１０のロータがクランク軸により回転されると、ロータコイルに流れる励磁電流に応じてステータコイルに交流電流が誘起される。誘起された交流電流は整流器により直流電流に変換される。そして、ロータコイルに流れる励磁電流をレギュレータが調整することで、発電された直流電流の電圧を設定電圧Ｖｒｅｇにしている。また、本実施形態では、車両の回生エネルギによりオルタネータ１０を発電させる減速回生を行っている。この減速回生は、車両が減速状態であること、エンジンへの燃料噴射をカットしていること等の条件が成立した時に実施される。オルタネータ１０が発電した電力は、電気負荷４２，４３へ供給されるとともに、鉛蓄電池２０及びリチウム蓄電池３０へ供給される。
【００１５】
鉛蓄電池２０は、周知の汎用蓄電池である。一方、リチウム蓄電池３０は、鉛蓄電池２０と比べて、高出力密度かつ高エネルギ密度であるとともに頻繁な充放電に対する耐性が高い高性能蓄電池である。鉛蓄電池２０及びリチウム蓄電池３０はどちらも複数の電池セルを直列接続して構成されているが、安価な鉛蓄電池２０はリチウム蓄電池３０よりも大きな蓄電容量に構成されている。大容量の鉛蓄電池２０から大電力を必要とするスタータモータ４１へ電力供給することで、リチウム蓄電池３０を小容量化し、コストアップを抑制している。
【００１６】
また、鉛蓄電池２０は、鉛蓄電池２０から流出又は流入する電流を検出する電流センサ２１と、鉛蓄電池２０の端子電圧を検出する電圧センサ２２とを備えている。一方、リチウム蓄電池３０は、リチウム蓄電池３０から流出又は流入する電流を測定する電流センサ３１と、リチウム蓄電池３０の端子電圧を検出する電圧センサ３２を備えている。各センサにより検出された検出値はＥＣＵ８０（バッテリシステム制御装置）に送信される。
【００１７】
ＥＣＵ８０は、本実施形態におけるバッテリシステム制御装置であり、ＣＰＵとメモリ（ＲＯＭ、ＲＡＭ）等からなる周知のマイクロコンピュータとして構成されている。ＥＣＵ８０は、取得した検出値に基づいて鉛蓄電池２０及びリチウム蓄電池３０のＳＯＣ（State of charge：満充電時の充電量に対する実際の充電量の割合）を算出し、鉛蓄電池２０及びリチウム蓄電池３０のＳＯＣが適正範囲になるようにバッテリシステムを制御する。ＳＯＣの適正範囲とは蓄電池が過放電及び過充電にならない範囲のことであり、例えば、鉛蓄電池２０のＳＯＣの適正範囲は８８％〜９２％、リチウム蓄電池３０のＳＯＣの適正範囲は３５％〜８０％になる。ＥＣＵ８０は、鉛蓄電池２０及びリチウム蓄電池３０が過放電及び過充電とならないように、オルタネータ１０の設定電圧Ｖｒｅｇを調整するとともに、ＭＯＳスイッチ５０の作動を制御する。
【００１８】
リチウム蓄電池３０の電圧特性（開放電圧とＳＯＣとの関係）は、鉛蓄電池２０及びリチウム蓄電池３０をそれぞれのＳＯＣの適正範囲で使用した場合に、リチウム蓄電池３０の端子電圧が鉛蓄電池２０の端子電圧よりも低くなるように設定されている。このようなリチウム蓄電池３０の電圧特性は、リチウム蓄電池３０の正極活物質、負極活物質及び電解液の組み合わせを選定することで実現することができる。例えば、正極活物質はＬｉＣｏＯ２，ＬｉＭｎ２０４，ＬｉＯ２，ＬｉＦｅＰＯ４等のリチウム金属複合酸化物から、負極活物質はカーボンやグラファイト、チタン酸リチウム、Ｓｉ又はＳｕを含有する合金等から、電解液は有機電解液から選定する。
【００１９】
スタータモータ４１は、運転手による始動時及び自動再始動時にエンジンを始動させるためのモータである。スタータモータ４１の回転軸は、図示しないエンジンのクランク軸と接続されている。スタータモータ４１は、運転手による始動時及び自動再始動時に、鉛蓄電池２０から電力供給を受けて駆動して、エンジンのクランク軸に初期回転を付与する。
【００２０】
電気負荷４３は、供給電力の電圧が概ね一定、又は少なくとも所定範囲内で変動するように安定であることが要求される定電圧要求電気負荷である。電気負荷４３の具体例としてはナビゲーション装置やオーディオ装置が挙げられる。例えば、供給電力の電圧が一定ではなく大きく変動している場合、あるいは所定範囲を超えて大きく変動している場合には、電圧が瞬時的に最低動作電圧よりも低下するとナビゲーション装置等の作動がリセットする不具合が生じる。そこで、電気負荷４３へ供給される電力は、電圧が最低動作電圧よりも低下することのない一定の値に安定していることが要求される。
【００２１】
電気負荷４２は、電気負荷４３及びスタータモータ４１以外の一般的な電気負荷である。電気負荷４２の具体例としては、ヘッドライト、フロントウインドシールド等のワイパ、空調装置の送風ファン、リヤウインドシールドのデフロスタ用ヒータ等が挙げられる。
【００２２】
ＭＯＳスイッチ５０は、２つのＭＯＳＦＥＴからなる半導体スイッチであり、オルタネータ１０，スタータモータ４１，電気負荷４２及び鉛蓄電池２０と、電気負荷４３及びＳＭＲスイッチ６０と、の間に設けられている。よって、ＳＭＲスイッチ６０を通電（オン）にした状態において、ＭＯＳスイッチ５０は、オルタネータ１０，スタータモータ４１，電気負荷４２及び鉛蓄電池２０と、電気負荷４３及びリチウム蓄電池３０と、の通電（オン）及び遮断（オフ）を切り替えるスイッチとして機能する。ＭＯＳスイッチ５０のオン（導通）とオフ（遮断）との切り替えは、ＥＣＵ８０により行われる。
【００２３】
また、２つのＭＯＳＦＥＴは、寄生ダイオードが互いに逆向きになるように直列に接続されている。そのため、２つのＭＯＳＦＥＴをオフさせた場合に、それぞれの寄生ダイオードを通じて電流が流れることを完全に遮断できる。よって、２つのＭＯＳＦＥＴをオフにすれば、リチウム蓄電池３０から鉛蓄電池２０の側に放電されることも、鉛蓄電池２０の側からリチウム蓄電池３０へ充電されることも回避できる。
【００２４】
ＳＭＲスイッチ６０は、ＭＯＳスイッチ５０と同様に、２つのＭＯＳＦＥＴからなる半導体スイッチであり、ＭＯＳスイッチ５０及び電気負荷４３と、リチウム蓄電池３０との間に設けられている。ＳＭＲスイッチ６０は、ＭＯＳスイッチ５０がオンにされた状態で、オルタネータ１０及び電気負荷４２，４３とリチウム蓄電池３０との通電（オン）及び遮断（オフ）を切り替えるスイッチとして機能する。すなわち、ＳＭＲスイッチ６０は、バッテリシステムに異常が発生した場合に、バッテリシステムからリチウム蓄電池３０を切り離す非常用のスイッチとして機能する。
【００２５】
ＳＭＲスイッチ６０のオン（導通）とオフ（遮断）との切り替えは、ＥＣＵ８０により実施される。ＳＭＲスイッチ６０は、通常時には、ＥＣＵ８０からオン信号を常時受信することでオン状態に保持される。そして、異常時には、ＥＣＵ８０からオン信号の出力が停止されて、ＳＭＲスイッチ６０はオフに切り替えられ、リチウム蓄電池３０は保護される。異常時の具体例として、オルタネータ１０の故障や、オルタネータ１０とリチウム蓄電池３０とを接続する配線の断線などが挙げられる。
【００２６】
リレースイッチ７０は、ＭＯＳスイッチ５０を挟んで両側を接続するバイパス経路７１に設けられている。リレースイッチ７０は、ノーマリクローズ式の電磁リレーである。リレースイッチ７０は、ＭＯＳスイッチ５０やＥＣＵ８０に異常（故障）が発生した場合に使用される非常時通電手段であり、通常時（非故障時）は、ＥＣＵ８０から励磁電流の入力を受けることでオフ状態になっている。そして、例えばＥＣＵ８０に異常が発生して、ＭＯＳスイッチ５０にオン信号を出力できなくなるとともに、リレースイッチ７０に励磁電流を出力できなくなると、リレースイッチ７０がオンに切り替えられる。これにより、バイパス経路７１が導通されるので、電気負荷４３はバイパス経路７１を介して、オルタネータ１０及び鉛蓄電池２０の少なくとも一方から電力の供給を受けることができる。
【００２７】
なお、リチウム蓄電池３０と、ＭＯＳスイッチ５０と、ＳＭＲスイッチ６０と、リレースイッチ７０と、ＥＣＵ８０とは、収納ケースに収容されることで一体化され、電池ユニットＵとして構成されている。
【００２８】
次に、エンジンの運転状況に応じて、ＭＯＳスイッチ５０のオンオフを切り替える態様について説明する。なお、上述したように、ＳＭＲスイッチ６０は通常時にはオン状態に保持されている。
【００２９】
定常走行時や加速走行時、アイドル運転時等の非回生の発電時には、リチウム蓄電池３０のＳＯＣに応じてＭＯＳスイッチ５０のオンオフを切り替える。図２は、リチウム蓄電池３０のＳＯＣの使用領域を示している。上限閾値Ｔｈ１〜下限閾値Ｔｈ２の範囲は、リチウム蓄電池３０のＳＯＣが過放電及び過充電にならない適正範囲である。この上限閾値Ｔｈ１〜下限閾値Ｔｈ２の範囲内で、エンジン運転中におけるリチウム蓄電池３０の目標ＳＯＣ（目標充電量）を設定する。なお、上限閾値Ｔｈ１、下限閾値Ｔｈ２及び目標ＳＯＣは、ＭＯＳスイッチ５０のハンチング動作を回避するために、ＳＯＣの増加時と減少時およびエンジン状態により異なる値となるように設定されている。
【００３０】
リチウム蓄電池３０のＳＯＣが目標ＳＯＣよりも小さい場合には、ＭＯＳスイッチ５０をオンにする。リチウム蓄電池３０の端子電圧が鉛蓄電池２０の端子電圧よりも低くなるように制御されていると、オルタネータ１０又は鉛蓄電池２０からリチウム蓄電池３０へ充電される。そして、リチウム蓄電池３０のＳＯＣが目標ＳＯＣよりも大きくなった場合には、ＭＯＳスイッチ５０をオフにしてリチウム蓄電池３０の充電を禁止させるとともに、リチウム蓄電池３０から電気負荷４３へ放電させる。この場合、オルタネータ１０又は鉛蓄電池２０から電気負荷４２へ電力が供給される。
【００３１】
また、減速回生を行っている時には、ＭＯＳスイッチ５０をオン状態にする。減速回生時には、リチウム蓄電池３０のＳＯＣが目標ＳＯＣよりも大きい場合であっても、上限閾値Ｔｈ１よりも小さい場合には、ＭＯＳスイッチ５０をオン状態にする。リチウム蓄電池３０の端子電圧が鉛蓄電池２０の端子電圧よりも低くなるように制御されていると、減速回生による発電電力は、主にリチウム蓄電池３０に充電される。そして、リチウム蓄電池３０のＳＯＣが上限閾値Ｔｈ１よりも大きくなった場合には、ＭＯＳスイッチ５０をオフにしてリチウム蓄電池３０の過充電を防止する。したがって、目標ＳＯＣ〜上限閾値Ｔｈ１の範囲は、回生発電用のマージンとして使用される。なお、減速回生時の発電電力の一部は、電気負荷４２，４３により消費されるとともに鉛蓄電池２０へ充電される。
【００３２】
さらに、アイドルストップ機能による自動停止時には、ＭＯＳスイッチ５０をオフに切り替える。これにより、電気負荷４２は鉛蓄電池２０から電力を供給され、電気負荷４３はリチウム蓄電池３０から電力を供給される。そして、ＭＯＳスイッチ５０をオフにした状態で、エンジンを自動再始動させる。スタータモータ４１とリチウム蓄電池３０とは遮断しており、スタータモータ４１と鉛蓄電池２０とは通電しているので、スタータモータ４１は、鉛蓄電池２０から電力供給を受けて駆動される。よって、リチウム蓄電池３０から大電力を消費するスタータモータ４１へ放電されることはなく、リチウム蓄電池３０が過放電になることが防止される。また、アイドルストップ機能による自動停止中に、リチウム蓄電池３０のＳＯＣが下限閾値Ｔｈ２より少なくなった場合には、エンジンを再始動させ、ＭＯＳスイッチ５０をオンにしてリチウム蓄電池３０を充電する。
【００３３】
ところで、リチウム蓄電池３０の端子電圧が鉛蓄電池２０の端子電圧よりも低く制御されていると、ＭＯＳスイッチ５０がオンの時は常に、オルタネータ１０又は鉛蓄電池２０からリチウム蓄電池３０へ充電電流が流れる。リチウム蓄電池３０へ充電電流が流れている状態でＭＯＳスイッチ５０をオンからオフへ切り替えると、リチウム蓄電池３０へ流れていた充電電流は鉛蓄電池２０に吸収され、鉛蓄電池２０へ流れる充電電流が増加する。
【００３４】
充電時の蓄電池の端子電圧は、Ｖｃ＝Ｖｏ＋Ｒ×Ｉｃで表される。Ｖｃは充電時の蓄電池の端子電圧、Ｖｏは開放電圧、Ｒは内部抵抗、Ｉｃは充電電流である。開放電圧Ｖｏは、蓄電池に電流が流れていない時の電圧である。よって、図３に示すように、充電電流を一定とすると、鉛蓄電池２０の端子電圧は、内部抵抗が大きいほど大きくなる。また、内部抵抗を一定とすると、鉛蓄電池２０の端子電圧は、充電電流が大きいほど大きくなる。したがって、リチウム蓄電池３０へ充電電流が流れている状態でＭＯＳスイッチ５０をオンからオフへ切り替えると、鉛蓄電池２０の内部抵抗及び鉛蓄電池２０へ流れる充電電流の増加量が大きいほど、鉛蓄電池２０の端子電圧は大きく上昇する。鉛蓄電池２０の端子電圧の上昇量が大きくなると、鉛蓄電池２０の端子電圧が電気負荷４２，４３の耐電圧を超えてしまい、電気負荷４２，４３が損傷するおそれがある。
【００３５】
そこで、リチウム蓄電池３０へ流入する充電電流が小さいことを条件として、ＭＯＳスイッチ５０のオンからオフへの切り替えを許可するようにした。図４に、ＭＯＳスイッチ５０の通電から遮断への切り替えを許可する処理手順を示す。本処理手順は、１トリップ中にＥＣＵ８０により所定の間隔で繰り返し実行される。
【００３６】
まず、Ｓ１１において、鉛蓄電池２０の内部抵抗を算出する。内部抵抗は、鉛蓄電池２０の劣化が大きいほど大きくなるとともに、温度が低いほど大きくなる。具体的な内部抵抗の算出方法としては、例えば、スタータモータ４１が駆動された時に検出された鉛蓄電池２０の電圧降下量に基づいて算出する方法がある。放電時の蓄電池の端子電圧は、Ｖｄ＝Ｖｏ−Ｒ×Ｉｄで表される。Ｖｄは放電時の蓄電池の端子電圧、Ｉｄは放電電流である。放電時の電圧降下量は、内部抵抗と放電電流とから決まる。スタータモータ４１の駆動時に鉛蓄電池２０からスタータモータ４１へ流れる電流はほぼ一定であるから、スタータモータ４１の駆動時における鉛蓄電池２０の電圧降下量は、鉛蓄電池２０の内部抵抗の大きさに依存する。したがって、スタータモータ４１の駆動時における鉛蓄電池２０の電圧降下量から、鉛蓄電池２０の内部抵抗を算出することができる。なお、エンジンの自動停止後に自動再始動するまでは、同じ検出値から、鉛蓄電池２０の内部抵抗が算出される。
【００３７】
次に、Ｓ１２において、リチウム蓄電池３０へ流入する充電電流が小さいかどうか判定するための判定値Ｉｊを設定する。リチウム蓄電池３０へ流入する充電電流の検出値が判定値Ｉｊより小さい場合に、充電電流が小さいとみなす。そこで、鉛蓄電池２０の内部抵抗が大きいほどＭＯＳスイッチ５０を通電から遮断に切り替えたときに鉛蓄電池２０に吸収される電流が小さくなるように、すなわち鉛蓄電池２０の内部抵抗が大きい場合であっても鉛蓄電池２０の端子電圧の上昇量を抑制するように判定値Ｉｊを設定する。したがって、Ｓ１１で算出された鉛蓄電池２０の内部抵抗が大きいほど、判定値Ｉｊを小さく設定する。
【００３８】
さらに、Ｓ１２において、リチウム蓄電池３０へ流入する充電電流が小さいか判定するための別の判定値Ｖｊを設定する。鉛蓄電池２０の端子電圧とリチウム蓄電池３０の端子電圧との電圧差が大きいほど、鉛蓄電池２０からリチウム蓄電池３０へ流れる充電電流は大きくなる。すなわち、鉛蓄電池２０の端子電圧とリチウム蓄電池３０の端子電圧との電圧差が大きいほど、リチウム蓄電池３０へ流入する充電電流が大きいとみなすことができる。よって、鉛蓄電池２０の端子電圧とリチウム蓄電池３０の端子電圧とから算出された電圧差が判定値Ｖｊより小さい場合に、リチウム蓄電池３０へ流入する充電電流が小さいとみなす。したがって、判定値Ｉｊと同様に、Ｓ１１で算出された鉛蓄電池２０の内部抵抗が大きいほど、判定値Ｖｊを小さく設定する。
【００３９】
続いて、Ｓ１３において、Ｓ１１で算出された鉛蓄電池２０の内部抵抗が大きいほど、リチウム蓄電池３０の目標ＳＯＣを高く（目標充電量を多く）設定する。リチウム蓄電池３０の端子電圧は、リチウム蓄電池３０のＳＯＣと相関があり、ＳＯＣが高いほど高くなる。そして、リチウム蓄電池３０の端子電圧が高いほど、鉛蓄電池２０からリチウム蓄電池３０へ流入する充電電流は小さくなる。すなわち、リチウム蓄電池３０のＳＯＣが高いほど、鉛蓄電池２０からリチウム蓄電池３０へ流入する充電電流は小さくなる。
【００４０】
続いて、Ｓ１４において、ＭＯＳスイッチ５０を通電から遮断へ切り替える要求があるかどうか判定する。要求がない場合は（ＮＯ）、そのまま本処理を終了する。要求がある場合は（ＹＥＳ）、Ｓ１５の処理に進む。
【００４１】
Ｓ１５では、リチウム蓄電池３０へ流入する充電電流が、判定値Ｉｊより小さくなるように、オルタネータ１０の発電電力を減少させる。
【００４２】
続いて、Ｓ１６では、電流センサ３１により、リチウム蓄電池３０へ流入する充電電流を検出する。
【００４３】
続いて、Ｓ１７では、電圧センサ２２及び電圧センサ３２により、鉛蓄電池２０の端子電圧及びリチウム蓄電池３０の端子電圧を検出する。そして、それぞれの検出値から、鉛蓄電池２０の端子電圧とリチウム蓄電池３０の端子電圧と電圧差を算出する。
【００４４】
続いて、Ｓ１８では、Ｓ１６で検出された充電電流がＳ１２で設定した判定値Ｉｊよりも小さいか判定するとともに、Ｓ１７で算出された電圧差がＳ１２で設定した判定値Ｖｊよりも小さいか判定する。リチウム蓄電３０へ流入する充電電流が小さいという条件を満たすかという判定を二つ行うことで、判定の信頼性を高めている。
【００４５】
Ｓ１６で検出された充電電流が判定値Ｉｊより小さく、且つＳ１７で算出された電圧差が判定値Ｖｊより小さい場合には（ＹＥＳ）、Ｓ１９の処理に進む。それ以外の場合には（ＮＯ）、Ｓ１４の処理に戻り、Ｓ１８で肯定判定されるまで、Ｓ１４〜Ｓ１８の処理を繰り返し実行する。
【００４６】
続いて、Ｓ１９では、ＭＯＳスイッチ５０を通電から遮断へ切り替える許可がされる。リチウム蓄電池３０に流入する充電電流が小さいことを条件として、ＭＯＳスイッチ５０を通電から切り替える許可がされるので、ＭＯＳスイッチ５０を通電から遮断へ切り替えた場合に鉛蓄電池２０に吸収される電流を小さく制御できる。以上で、本処理を終了する。
【００４７】
以上説明した本実施形態によれば、以下の効果を奏する。
【００４８】
・リチウム蓄電池３０に流入する充電電流の検出値が判定値Ｉｊよりも小さいこと、及び鉛蓄電池２０の端子電圧とリチウム蓄電池３０の端子電圧とから算出した電圧差が判定値Ｖｊよりも小さいことを条件として、ＭＯＳスイッチ５０の通電から遮断への切り替えが許可される。そして、この判定値Ｉｊ，Ｖｊは、鉛蓄電池２０の内部抵抗が大きいほど小さく設定される。よって、ＭＯＳスイッチ５０が通電から遮断へ切り替えられた場合には、内部抵抗が大きいほど鉛蓄電池２０に吸収される電流は小さくなる。したがって、オルタネータ１０、電気負荷４２，４３及び鉛蓄電池２０とリチウム蓄電池３０とを遮断する場合に、鉛蓄電池２０の端子電圧の上昇量を抑制することができる。
【００４９】
・ＭＯＳスイッチ５０を通電から遮断へ切り替える要求が発生した場合に、オルタネータ１０による発電電力を減少させると、オルタネータ１０からリチウム蓄電池３０へ流れる充電電流が減少する。よって、リチウム蓄電池３０へ流入する充電電流が減少し、ＭＯＳスイッチ５０の通電から遮断への切り替えを許可されやすくできる。
【００５０】
・リチウム蓄電池３０の目標ＳＯＣを高くすると、リチウム蓄電池３０のＳＯＣが高い状態（充電量が多い状態）に維持され易くなり、鉛蓄電池２０からリチウム蓄電池３０へ流入する充電電流が小さくなる。したがって、鉛蓄電池２０の内部抵抗が大きいほど、鉛蓄電池２０からリチウム蓄電池３０へ流入する充電電流を小さく制御することができ、ひいてはＭＯＳスイッチ５０を通電から遮断へ切り替えた場合に鉛蓄電池２０に吸収される電流を、小さく制御することができる。
【００５１】
・リチウム蓄電池３０の目標ＳＯＣを高くするとともにオルタネータ１０の発電電力を減少させることにより、オルタネータ１０及び鉛蓄電池２０からリチウム蓄電池３０へ流入する充電電流を小さく制御することができ、ひいてはＭＯＳスイッチ５０を通電から遮断へ切り替えた場合に鉛蓄電池２０に吸収される電流を、確実に小さく制御することができる。
【００５２】
本発明は上記実施形態の記載内容に限定されず、以下のように変更して実施してもよい。
【００５３】
・電流センサ３１により検出された検出値と判定値Ｉｊとの比較のみで、リチウム蓄電池３０へ流入する充電電流が小さいことを判定してもよい。このようにしても、リチウム蓄電池３０へ流入する充電電流が小さいことを判定できる。
【００５４】
・鉛蓄電池２０の端子電圧とリチウム蓄電池３０の端子電圧との電圧差を算出せず、簡易的に、鉛蓄電池２０の端子電圧が高いほどリチウム蓄電池３０へ流入する充電電流が大きいとみなしてもよい。これにより、リチウム蓄電池３０へ流入する充電電流が小さいか判定する処理を簡易化することができる。
【００５５】
・鉛蓄電池２０の端子電圧とリチウム蓄電池３０の端子電圧との電圧差を算出せず、簡易的に、リチウム蓄電池３０の端子電圧が低いほどリチウム蓄電池３０へ流入する充電電流が大きいとみなしてもよい。これにより、リチウム蓄電池３０へ流入する充電電流が小さいか判定する処理を簡易化することができる。
【００５６】
・高出力密度かつ高エネルギ密度の高性能蓄電池としてニッケル蓄電池やキャパシタ、ＡＧＭ（Absorbent Glass Mat）畜電池を採用してもよい。
【００５７】
・上記各実施形態では、ＭＯＳスイッチ５０及びＳＭＲスイッチ６０として、ＰＩＮダイオードやサイリスタから構成される半導体スイッチや、ソリッドステートリレー、電磁リレー等を採用してもよい。
【００５８】
・電気負荷４２を、電気負荷４３と一緒にＭＯＳスイッチ５０とＳＭＲスイッチ６０との間に接続してもよい。このようにすると、ＭＯＳスイッチ５０をオフした場合には、リチウム蓄電池３０から電気負荷４２，４３へ電力が供給される。
【００５９】
・上記実施形態に係るバッテリシステムは、アイドルストップ機能を有していない車両に搭載されていてもよい。
【符号の説明】
【００６０】
１０…オルタネータ、２０…鉛蓄電池、３０…リチウム蓄電池、４１…スタータモータ、４２…電気負荷、４３…電気負荷、５０…ＭＯＳスイッチ、６０…ＳＭＲスイッチ、８０…ＥＣＵ。
【図１】
2014018018.tif 000003
【図２】
2014018018.tif 000004
【図３】
2014018018.tif 000005
【図４】
2014018018.tif 000006